(57)【要約】      （修正有）【課題】撮像画像に含まれるノイズ成分を減少させ、ノイズの少ない鮮明な撮像画像を提供する。【解決手段】被写体像を撮像素子上に結像させ、電気信号に変換して取り込む撮像装置において、カメラを三脚に固定した状態か否かを検出する三脚検知手段と、撮影時のＩＳＯ感度を変更するＩＳＯ感度変更手段を有し、カメラが三脚に固定した状態であることを検出したら、ＩＳＯ感度変更手段により所定量ＩＳＯ感度を自動でずらすように構成し、また、カメラが三脚に固定した状態であることを検出した場合でも、ユーザーの選択により特定撮影モードが選択された場合においては、ＩＳＯ感度変更手段の設定を解除するように構成した。【選択図】図３
2007101860.tif 000002
【特許請求の範囲】
【請求項１】
撮像光学系により被写体像を撮像素子の受光面上に結像させ、電気信号に変換して取り込む撮像装置において、カメラを三脚に固定した状態か否かを検出する三脚検知手段と、撮影時の感度を変更するＩＳＯ感度変更手段を有し、カメラが三脚に固定した状態であることを検出したら、前記ＩＳＯ感度変更手段により所定量ＩＳＯ感度をずらすように構成したことを特徴とする撮像装置。
【請求項２】
カメラが三脚に固定した状態であることを検出した場合でも、ユーザーの選択により特定撮影モードが選択された場合においては、前記ＩＳＯ感度変更手段の設定を解除することを特徴とする請求項１に記載の撮像装置。
【発明の詳細な説明】
【技術分野】
【０００１】
本発明は、カメラを三脚に固定した状態で撮影するか否かを検出して、カメラのＩＳＯ感度を自動で変更できる機能を有する撮像装置に関するものである。
【背景技術】
【０００２】
従来、カメラが三脚に固定してある状態か否かを自動で検出して、検出結果に応じて露出制御を変えるように構成されたカメラがある。
【０００３】
例えば特許文献１に開示されたカメラがある。この公報は、カメラが三脚に固定された状態か否かを検出し、三脚固定状態にあるとき、通常撮影モードの場合は絞込み優先方式でプログラム露出制御を行い、ストロボ撮影モードの場合はスローシンクロ方式でプログラム露出制御をおこなうように構成し、三脚固定状態に無いとき、通常撮影モードの場合はシャッター優先方式で露出制御を行い、ストロボ撮影モードの場合はフラッシュマチック方式で露出制御をおこなうよう構成している。また、手振れ等による撮影画像の振れを補正する振れ補正機能を有するカメラがある。特許文献２においては、カメラが三脚に固定してある状態か否かを自動で検出して、検出結果に応じて振れ補正動作を終了させるように構成にしたものである。
【特許文献１】実開平５−２５４２８号公報
【特許文献２】特開２００３−１８９１６４号公報
【発明の開示】
【発明が解決しようとする課題】
【０００４】
上記従来の技術では、三脚固定状態を検出して、カメラのＩＳＯ感度を自動で変更し、それに伴ってシャッター秒時等を変化させる発明はなされていない。
【０００５】
従来、被写体が暗い場合、長秒時撮影となるため、手振れ等も考慮して、三脚に固定したり、撮影者自身が高感度側にＩＳＯ感度を設定したりして撮影をおこなっていた。しかし、ＩＳＯ感度を上げると（１００から４００、４００から８００、８００から１６００など）高感度側にいくほど、撮影した画像にノイズが入りやすく、撮影した画像が粗くなってしまう問題がある。そこで、ノイズリダクションモードを備えたカメラがある。これは、高感度側のＩＳＯで撮影した場合、撮影画像に含まれるノイズ成分を除去するモードである。しかし、ノイズリダクションモードで撮影した場合、撮影した画像の処理時間が遅くなり、また１枚あたりの撮影した画像容量が大きくなり、撮影可能枚数が減少してしまう問題点があった。
【０００６】
本発明は、以上の点に着目して成されたもので、撮像画像に含まれるノイズ成分を減少させ、ノイズの少ない鮮明な撮像画像を提供することを目的とする。
【課題を解決するための手段】
【０００７】
上記課題を解決し、目的を達成するために本発明は次の手段を講じている。
【０００８】
請求項１に記載の発明は、撮像光学系により被写体像を撮像素子の受光面上に結像させ、電気信号に変換して取り込む撮像装置において、カメラを三脚に固定した状態か否かを検出する三脚検知手段と、撮影時のＩＳＯ感度を変更するＩＳＯ感度変更手段を有し、カメラが三脚に固定した状態であることを検出したら、ＩＳＯ感度変更手段により所定量ＩＳＯ感度を自動でずらすように構成している。
【０００９】
また、請求項２に記載の発明は、カメラが三脚に固定した状態であることを検出した場合でも、ユーザーの選択により特定撮影モードが選択された場合においては、ＩＳＯ感度変更手段の設定を解除するように構成した撮像装置を提案する。
【発明の効果】
【００１０】
以上のように、三脚に固定することで、手振れの可能性がなくなるため、ＩＳＯ感度を所定量、低感度側に自動でシフトすることが出来、ＩＳＯ感度を低感度側にすることで、シャッター秒時を低速側に設定出来る。これにより、高感度側のＩＳＯで撮影した画像よりもノイズの少ない鮮明な撮影画像を提供出来る。
【００１１】
また、ノイズリダクションモードが設定されている場合においては、三脚に固定されたことを検出したら、ノイズリダクションモードを自動で解除するように構成することで、上記同様、手振れの可能性がなくなるため、シャッター秒時を低速側に設定出来る。また、上述した撮影した画像の処理時間が遅くなったり、１枚あたりの撮影した画像容量が大きくなったり、撮影可能枚数が減少してしまう欠点をなくすことが出来る。又、ユーザー選択により、特定撮影モードが選択された場合において、ＩＳＯ感度変更手段の設定を解除可能とすることによって、ユーザーの意図しないＩＳＯの自動変更を防止することが可能となる。
【発明を実施するための最良の形態】
【００１２】
以下、本発明の実施の形態について図面及びフローチャートを参照にして説明する。
【実施例】
【００１３】
図１は本発明による一眼レフカメラの中央断面図であり、以下構成について説明する。図１のカメラ１に対して着脱可能な交換レンズ２はカメラのマウント部５と不図示のレンズマウント部によって固定され、不図示のカメラ接点部とレンズの接点部が接触することによって電気的な接続がなされ、この接点部を介してカメラ１から交換レンズ２への電力の供給やレンズを制御するための通信を行う。交換レンズ２の撮影レンズ３を透過した光束はカメラのメインミラー６に入射する。メインミラー６はハーフミラーとなっており反射した光束はファインダーへと導かれ、透過した光束はサブミラー７にて下方へ反射し、焦点検出装置８へと導かれる。焦点検出装置８は撮影レンズ３のデフォーカス量を検出し、撮影レンズが合焦状態となるように撮影レンズ３を駆動するレンズ駆動量を演算し、レンズ駆動量を接点部を介して交換レンズ２へ送出すると、レンズは不図示のモーターを制御して撮影レンズ３を駆動して焦点調節を行う。４は絞りであり、絞り径を変化させることで光量をコントロールするものである。
【００１４】
メインミラー６によってファインダーへと導かれた光束はピント板９に被写体像を結像し、撮影者はペンタプリズム１０および接眼レンズ１１を介してこのピント板上の被写体像を観察するように構成される。ピント板９は不図示のピント板ホルダーに支持されており、適宜着脱交換が可能に構成されている。
【００１５】
ペンタプリズム１０の後部上方に配置された測光レンズ１２は、ピント板９上の被写体像を二次光源として、その像を測光センサー（受光素子）１３に縮小投映する。測光レンズ１２および測光センサー（受光素子）１３は、公知の露光用受光手段である。
【００１６】
サブミラー７の後方にはシャッター１４が配置され、シャッター１４の後方には光学ローパスフィルターおよび赤外線カットフィルターを一体化した光学フィルター１５があり、撮影時には光学フィルター１５を透過した光束が更に後方に配置された撮像素子１６へと入射する。１７は画像表示モニタであり、撮影された画像及び撮影メニュー等を表示するように構成されている。また、カメラの底部には、公知である三脚検出手段があり、絶縁体１９を挟んで対峙する２つの端子２０，２１があり、三脚座１８に三脚２３のネジ部２４が取り付けられると、端子ピン２２が押され対峙する２つの端子２０，２１のうち一方の端子２１を押し上げることで他方の端子２０と短絡し、三脚の取付けが検出されるようになっている。２５はノイズリダクションモードを設定する場合のノイズリダクションモード釦である。以上が本発明の一眼レフカメラの主な構成である。
【００１７】
図２は、本発明の実施形態に係る撮像装置の内部構成を示すブロック図である。
【００１８】
本発明の実施例である撮像装置は、不図示のマウントを介してカメラに装着された撮影レンズ１５０を駆動するレンズ駆動装置１２２、メカニカルシャッター装置１２１、固体撮像素子１００、アナログ信号処理回路１０１、Ａ／Ｄ変換器１０２、メイン信号処理回路１０３、メモリ１０８、Ｄ／Ａ変換器１０９、画像表示モニタ１１０、圧縮／解凍回路１１２、メモリスロット（１）１１３及びメモリカード（１）１１４、メモリスロット（２）１１５及びメモリカード（２）１１６、コントロール回路１２０及びＣＰＵ（中央演算処理回路）１１７等から構成されている。
【００１９】
１４３は不図示のカメラのメインスイッチの操作によってオン／オフされるメインＳＷであり、本撮像装置の全ての動作の作動・非作動を設定する。１２６は不図示のレリーズボタンの第１ストロークによりオンするレリーズＳＷ１である。１２７は、不図示のレリーズボタンの第２ストロークによりオンするレリーズＳＷ２である。レリーズＳＷ１がオンされると測光制御・合焦制御が行なわれる、レリーズＳＷ２がオンされるとレリーズ動作が開始される。
【００２０】
１２８は不図示のメイン電子ダイヤルの回転に連動して信号を発生するメイン電子ダイヤルＳＷである。メイン電子ダイヤルの回転で、例えば９０°位相のずれた２ビットの信号をスイッチセンス回路に送ることにより、回転方向と回転クリック数が検出される。この回転方向と回転クリック数を検出することで、他の操作釦と併用して、カメラに数値を入力したり、撮影モードを切り換えたりすることが可能となる。
【００２１】
１２９は不図示のサブ電子ダイヤルの回転に連動して信号を発生するサブ電子ダイヤルＳＷである。サブ電子ダイヤルの回転で、例えば９０°位相のずれた２ビットの信号をスイッチセンス回路に送ることにより、回転方向と回転クリック数が検出される。この回転方向と回転クリック数を検出することで、他の操作釦と併用して、カメラに数値を入力したり、撮影モードを切り換えたりすることが可能となる。
【００２２】
１４７は不図示のＡＥロックボタンを押し込む事によってオンするＡＥ（自動露出）ロックＳＷである。１４８は不図示の測距点選択ボタンを押し込む事によってオンするＡＦ（オートフォーカス）の測距点選択ＳＷである。１４９は撮影条件等を表示する外部表示機能を備えた画像表示モニタ１７からなる表示手段としての外部表示装置である。１１０は撮影された画像等を表示するＬＣＤモニタ装置からなる表示手段としての画像表示モニタである。画像表示モニタ１１０は透過形であるため、外部映像表示装置の駆動だけでは、画像を視認することはできず、必ずその裏面には不図示のバックライト照明装置が必要である。また、画像表示モニタ１１０には、映像の表示以外に不図示のメニューボタン、選択ボタン、ディスプレイボタンの操作に応じて対応するメニュー・設定項目・選択項目等が表示されるようになっている。
【００２３】
１５０は被写体像を結像面に結像させる撮影レンズであり、カメラ本体１に着脱可能に構成されている。本図では簡略化してあるが、１枚または複数枚のレンズで構成され、単一の焦点距離（固定焦点）のレンズでもよいし、ズームレンズやステップズームレンズ等のように焦点距離可変のレンズでもよい。１２２は被写体像を結像面に結像させるために撮影レンズ１５０を駆動するためのレンズ駆動装置である。１５１は、露出制御を行なうための絞り羽根群である。１２３は絞り羽根群１５１を駆動するための絞り駆動装置である。
【００２４】
１４５は不図示の撮影モード選択ボタンを押し込む事によってオンする撮影モード選択ＳＷ、１４４は不図示のＡＦモード選択ボタンを押し込むことによってオンするＡＦモード選択ＳＷ、１４６は不図示の測光モード選択ボタンを押し込むことによってオンする測光モード選択ＳＷであり、調光補正ボタン／ＳＷも兼ねている。
【００２５】
例えば、撮影モード選択ボタンを押しながらメイン電子ダイヤルを回転させると、Ｔｖ優先→Ａｖ優先→マニアル→プログラム→多重露出撮影→Ｔｖ優先→Ａｖ優先→マニアル→プログラム→多重露出撮影…と変更され、撮影者の意図するモードに設定することができる。また、メイン電子ダイヤルを逆回転させた時は、多重露出撮影→プログラム→マニアル→Ａｖ優先→Ｔｖ優先→多重露出撮影→プログラム→…とモードは変更される。また、撮影モード選択ボタンとメイン電子ダイヤルによりＴｖ優先がモードとして設定されている場合には、メイン電子ダイヤルを回転させることにより撮影者の希望するＴｖ値を設定することができる。また、撮影モード選択ボタンとメイン電子ダイヤルによりＡｖ優先がモードとして設定されている場合には、メイン電子ダイヤルを回転させることにより撮影者の希望とするＡｖ値を設定することができる。測光モード選択ボタンとＡＦ選択モードボタンを同時に押し込んだ状態でメイン電子ダイヤルを操作すると撮像時の撮像感度を変更する事が出来る。測光モード選択ボタンと撮影モード選択ボタンを同時に押し込んだ状態でメイン電子ダイヤルを操作すると単写・連写・セルフタイマーの何れかからドライブモードを選択する事が出来る。撮影モード選択ボタンとＡＦモード選択ボタンを同時に押し込んだ状態でメイン電子ダイヤルを操作するとＡＥＢ撮影モードのブラケット段数を設定する事が出来る。
【００２６】
１３９は不図示の表示パネル照明ボタンを押し込むとオンする表示パネル照明ＳＷである。１３８は不図示の露出補正ボタンを押し込むとオンする露出補正ＳＷである。露出補正ＳＷ１３８をオンさせた状態でメイン電子ダイヤルを操作すると露出補正値を設定する事が出来る。１３５は不図示のカードスロットカバーの開閉に応じてオン／オフするスロットカバー開閉検出ＳＷである。メモリスロット（１）１１３にはメモリカード（１）１１４が着脱自在に取り付けられる。１３６はスロット（１）１１３のカード検出ＳＷで、メモリスロット（１）１１３にメモリカード（１）１１４が装着された時にオンする。１３７はスロット（２）カード検出ＳＷで、メモリスロット（２）１１５にメモリカード（２）１１６が装着された時にオンする。プロテクトＳＷ１３０は、不図示のディスプレイ（ＤＩＳＰＬＡＹ）ボタンを押し込むとオンするスイッチである。ディスプレイ（ＤＩＳＰＬＡＹ）ボタンを押し込み、プロテクトＳＷ１３０をオンさせ、記録画像を再生し、不図示の選択（ＳＥＬＥＣＴ）ボタンを押しながらサブ電子ダイヤルを回転させ、プロテクトをかけたい画像を選択後、選択（ＳＥＬＥＣＴ）ボタンを離すことでプロテクトが完了する。
【００２７】
メニューＳＷ１３１は、不図示のメニューボタンを押し込むとオンするスイッチである。メニューボタンを押し込み、メニューＳＷ１３１をオンさせ、サブ電子ダイヤルを操作する事で設定項目を選択する事が出来る。この時の設定項目の表示は、画像表示モニタ１１０にて行なわれる。ＳＥＬＥＣＴ（選択）ＳＷ１３２は、不図示の選択ボタンを押し込むとオンするスイッチである。選択ボタンを押し込みＳＥＬＥＣＴ（選択）ＳＷ１３２をオンさせ、サブ電子ダイヤルを操作する事で、メニューボタンで選択した設定項目の設定値を変更する事が出来る。この時、設定項目の設定値の表示は、画像表示モニタ１１０にて行なわれる。
【００２８】
ディスプレイＳＷ１３３は、不図示のディスプレイボタンを押し込むとオンするスイッチである。ディスプレイボタンを押し込み、ディスプレイＳＷ１３３をオンさせると、画像表示モニタ１１０にメモリカード（１）１１４及びメモリカード（２）１１６に入っている画像を表示する。
【００２９】
消去ＳＷ１３４は、不図示の消去ボタンを押し込むとオンするスイッチである。画像表示モニタ１１０に画像が表示されている時に消去ボタンを押し込み、消去ＳＷ１３４をオンさせると表示されている画像データをメモリカード上から削除する事が出来る。また、消去ＳＷ１３４をオンさせたままの状態で保持すると、画像表示モニタ１１０にメモリカード（１）１１４及びメモリカード（２）１１６に保存された画像データを一括消去するかどうか問い合わせるメニューが表示され、サブ電子ダイヤルを操作して、一括消去を選択し、消去ボタンを解放し消去ＳＷ１３４をオフさせると、メモリカード内の画像データを一括消去する事が可能となる。
【００３０】
１４０は不図示のＦＥロックボタンを押し込むとオンするＦＥロックＳＷである。不図示の外部ストロボが装着されている時にこのＳＷがオンするとプリ発光を行い、ストロボ発光時のストロボ発光量、Ｔｖ値、Ａｖ値を決定し記憶する。１４１は不図示の絞込みボタンを押し込むとオンする絞込みＳＷである。ＳＷがオンすると、その時に選択されている絞り値まで絞り羽根１５１を駆動し、被写界深度の確認を行えるようにする。
【００３１】
１２４は測光装置で、不図示のフォーカシングスクリーンに結像された被写体像の輝度を、不図示の光学部材を介して測定するものであり、この測光装置１２４の出力信号に基づいて露光時の露出制御を行なうようになっている。１２５は焦点検出装置で、該焦点検出装置１２５の出力信号に基づいて撮影レンズ１５０のレンズ駆動装置１２２を制御し、結像レンズ１５０にて焦点調節を行なう。１２１はメカニカルシャッター装置で、被写体光束の結像面への入射時間を機械的に制御するものである。このメカニカルシャッター装置１２１は、ファインダー観察時には被写体光束を遮光し且つ撮影時にはレリーズ信号に応じて被写体光束の光路から退避して露光を開始させる先羽根郡と、ファインダー観察時には被写体光束の光路から退避し且つ撮影時には先羽根郡の走行（駆動）開始後に所定のタイミングで被写体光束を遮光する後羽根郡とを有するフォーカルプレーンシャッターである。
【００３２】
１００は固体撮像素子で、撮影レンズ１５０により結像された被写体像を撮像して電気信号に変換するものである。この固体撮像素子１００としては、公知の２次元型撮像デバイスが用いられている。この撮像デバイスには、ＣＣＤ型、ＭＯＳ型、ＣＩＤ型等、様々な形態があり、いずれの形態の撮像デバイスを採用してもよいが、本実施の形態においては、光電変換素子（フォトセンサ）が２次元的に配置され、各フォトセンサで蓄積された信号電荷が垂直転送路及び水平転送路を介して出力されるインターライン型ＣＣＤ（電荷結合素子）の撮像素子が採用される。また、固体撮像素子１００は、各フォトセンサに蓄積される電荷の蓄積時間（シャッター秒時）を制御する、いわゆる電子シャッター機能（電子シャッター手段）を有している。撮影レンズ１５０を透過してきた被写体光束は、絞り駆動装置１２３によって駆動される絞り羽根群１５１とメカニカルシャッター装置１２１とでその光量が規制され、固体撮像素子１００上に投影結像される。このとき、固体撮像素子１００は、コントロール回路１２０を介して電荷の蓄積時間が制御される。固体撮像素子１００の受光面に結像された被写体像は、各フォトセンサで光の入射光量に応じた量の信号電荷に変換され、撮像出力信号として順次読み出された後、アナログ信号処理回路１０１に供給される。
【００３３】
アナログ信号処理回路１０１は、ＣＤＳクランプ回路やゲイン調整回路等を含み、固体撮像素子１００から入力した撮像出力信号（アナログ電気信号）をコントロール回路１２０の制御に基づいて適宜処理する。アナログ信号処理回路１０１から出力された信号は、Ａ／Ｄ変換器１０２によってデジタル信号に変換された後、メイン信号処理回路１０３へ送られる。
【００３４】
メイン信号処理回路１０３は、ゲイン調整回路１０４、オフセット回路１０５、ヒストグラム生成回路１０７及びデジタル信号処理回路１０６等からなる。Ａ／Ｄ変換器１０２から出力されたデータは、ゲイン調整回路１０４及びオフセット回路１０５を経由して、ヒストグラム生成回路１０７及びデジタル信号処理回路１０６へ送られる。
【００３５】
ヒストグラム生成回路１０７は、Ａ／Ｄ変換器１０２から送られた１画面分のデータから信号レベルに対する撮像素子信号の積算値の分布を示すヒストグラムを作成する。そして、このヒストグラム演算に基づいてゲイン値やオフセット値が決定され、ＣＰＵ１１７からコントロール回路１２０を介してゲイン及びオフセットが制御される。このように、ゲインとオフセットのコントロールを経由した信号は、デジタル信号処理回路１０６に送られる。
【００３６】
デジタル信号処理回路１０６は、輝度（Ｙ）信号生成回路及び色差（Ｃ）信号生成回路を含み、オフセット回路１０５から入力した信号をＹ／Ｃ信号処理する。そして、デジタル信号処理回路１０６でＹ／Ｃ信号処理された画像データは、メモリ１０８に一時記憶される。このメモリ１０８に記憶された画像データはデコードされた後、Ｄ／Ａ変換器１０９でアナログ信号に変換され、画像表示手段としての液晶モニタ等の画像表示モニタ１１０に供給される。
【００３７】
こうして、画像表示モニタ１１０には、固体撮像素子１００で捉えた映像が表示される。この画像表示モニタ１１０には、レリーズボタンの操作によりオンするレリーズＳＷ２（１２７）によって発せられる撮影開始信号に基づいて撮影した静止画が表示される。尚、Ｄ／Ａ変換器１０９でアナログ信号に変換された信号は、不図示のビデオ出力端子等から外部映像出力１１１として取り出すことができる。
【００３８】
また、撮影開始信号の入力に呼応して取得した本撮像の画像データは、メモリ１０８から圧縮／解凍回路１１２に導かれ、ここで所定の形式（例えば、ＪＰＥＧ）に従って圧縮処理された後、記録媒体としてのメモリカード（１）（１１４）もしくはメモリカード（２）（１１６）に記録される。尚、記録媒体の形態は、スマートメディアやＩＣカード等、種々の形態が可能である。メモリカード（１）（１１４）もしくはメモリカード（２）（１１６）に記録された画像データは、ＣＰＵ１１７を介して呼び出しが可能であり、該呼び出された画像データは、圧縮／解凍回路１１２で解凍再生処理された後、メモリ１０８、Ｄ／Ａ変換器１０９を介して画像表示モニタ１１０に出力され、または、不図示のビデオ信号出力端子等に供給され、他の外部機器に出力可能である。
【００３９】
ＣＰＵ１１７は、測光装置１２４、焦点検出装置１２５、コントロール回路１２０、ヒストグラム生成回路１０７、デジタル信号処理回路１０６、メモリ１０８及びメモリカード（１）（１１４）、メモリカード（２）（１１６）、各ＳＷと接続されており、所定のアルゴリズムに従って露出値、撮影レンズ１５０の焦点位置等の各種演算を行い、自動露光制御、オートフォーカス、オートストロボ、オートホワイトバランス等の制御を総括的に管理する。また、ＣＰＵ１１７は、レリーズボタンやメイン電子ダイヤル，サブ電子ダイヤル，撮影モード選択ボタン、ＡＦモード選択ボタン、測光モード選択ボタン等の操作部から入力される各種信号に基づいて該当する回路を制御する。測光装置１２４の出力信号はＣＰＵ１１７に送られ、このＣＰＵ１１７において露光時間を示す露出制御値が算出される。そして、得られた露出制御値は、ＣＰＵ１１７からコントロール回路１２０に送られ、該コントロール回路１２０を介して自動露光制御、オートストロボ、オートホワイトバランス等の制御が行なわれる。
【００４０】
温度センサー１１９はカメラの温度を測定するセンサーである。ブザー１１８は、主に撮影時の警告などに用いられる音発生手段である。１５２はメモリカード（１）（１１４）もしくはメモリカード（２）（１１６）へのアクセス状態を表示するためのＬＥＤ１５２ａ及び１５２ｂであり、２色発光タイプとなっている。コントロール回路１２０は、ＣＰＵ１１７から送られた露出制御値に基づいて固体撮像素子１００の駆動回路を制御し、電子シャッター制御モード時には、固体撮像素子１００の電荷蓄積時間を、また、メカニカルシャッター制御モード時には、メカニカルシャッター装置１２１の開閉タイミング等を制御すると共に、露光時に絞り駆動装置１２３を制御する。
【００４１】
１５３は三脚検知スイッチであり、カメラが三脚に固定されている状態か否かを検出するスイッチである。１５４はノイズリダクションモードＳＷであり、ノイズリダクションモード釦２５が押されることでＯＮ／ＯＦＦし、高感度側のＩＳＯが設定された場合、撮影した画像にノイズが入りやすく、撮影した画像が粗くなってしまうの防止するための、スイッチである。
【００４２】
ここまでが本発明である一眼レフカメラの主な構成と内部構成の説明である。
【００４３】
次に図３から図５を用いて、本発明に係るカメラを詳細に説明する。
【００４４】
図３は本発明の撮像装置による撮影動作の概略を示すフローチャートである。図４は特定撮影モード（例えばノイズリダクションモード）が設定されている場合の撮像動作の概略を示すフローチャートである。図５はＩＳＯ感度変更手段で設定されるＩＳＯ感度とシャッター速度の関係を表した図である。
【００４５】
請求項１について図３を参照に説明する。ステップ１はカメラ１のメインスイッチ１４３がオンされ、カメラ１の電源が入った状態であり、ステップ２から動作を開始する。まず、ステップ２においては、カメラ１が三脚２３に取り付けられた状態か否かを検出する。カメラ１の三脚座１８に三脚２３のネジ部２４が取り付けられると、三脚検知ＳＷ１５３である端子ピン２２に当接し、絶縁体１９を挟んで対峙する２つの端子２０，２１のうち一方の端子２１を押し上げることで他方の端子２０と短絡し、三脚の取付けが検出されるようになっている。三脚が固定状態（三脚検知ＳＷ１５３がＯＮ）であると検出したら、ステップ３へ進み、三脚が固定されていない状態（三脚検知ＳＷ１５３がＯＦＦ）であると検出したら、ステップ４に進む。
【００４６】
ステップ３において、カメラ１のＣＰＵ（中央演算処理回路）１１７に三脚が固定状態であることを送信し、ＣＰＵ（中央演算処理回路）１１７内部では、この情報を基にＩＳＯ感度変更手段によりＩＳＯ感度を自動で所定段数分、低感度側にシフトするようにする。
【００４７】
ここで、図５を参照にＩＳＯ感度変更手段について説明する。図５（ａ）及び（ｂ）は、ＩＳＯ感度とシャッター速度の関係を表した図で、図５（ａ）に示すように、カメラ１が三脚に取り付けられたことを検出すると、ＩＳＯ感度変更手段により、ＩＳＯ感度を所定段数分（例えば１段  ８００⇒４００）低感度側に自動でシフトされる。これにより、シャッター速度も同様に所定段数分（１段  例えば１２５⇒６０）の低速側に自動でシフトされる。また、図５（ｂ）はカメラ１が三脚に取り付けられたことを検出すると、ＩＳＯ感度変更手段により、ＩＳＯ感度を所定段数分（例えば２段  ８００⇒２００）低感度側に自動でシフトされる。これにより、シャッター速度も同様に所定段数分（２段  例えば１２５⇒３０）の低速側に自動でシフトされる構成となる。シフトする段数としては、本提案では１段又は２段としているが、シフト量は撮影画像へ入るノイズの少なくなるＩＳＯへ変更することとする。
【００４８】
図３のステップ４において、不図示のレリーズボタンの第１ストロークが押し下げられレリーズスイッチＳＷ１（１２６）がオンすると、ステップ５において、測光装置１２４を作動させて被写体での反射光を取り込み、Ａ／Ｄ変換して測光情報を得る。ここでは、ＩＳＯ感度を所定段数分シフトされた後での露出条件（絞り，シャッタースピード）が演算される。ステップ６において、焦点検出モードがオートフォーカスモード（ＡＦ）かマニュアルフォーカスモード（ＭＦ）かを判別し、焦点検出装置１２５を用いて各焦点検出領域毎のフォーカス情報を算出する。そして、これらの焦点検出結果を基に既存のアルゴリズムでデフォーカス量算出演算を行ない、所定領域の焦点検出結果に基づきレンズ駆動量を演算した後に、合焦するようにレンズ駆動装置１２２へレンズ駆動量を通信し、レンズを駆動し合焦させる。
【００４９】
ステップ７において、レリーズスイッチＳＷ２（１２７）がオンすると、撮影動作を行なうためにステップ８に進む。ステップ８では、ステップ５にて算出された露出条件（絞り，シャッタースピード）とステップ６にて駆動されたレンズの合焦状態にて、固体撮像素子１００に露光を行なう。そして、ステップ９に進み、固体撮像素子１００に撮像された画像が画像表示モニタ１１０に静止画として自動再生表示される。
【００５０】
ステップ１０では、撮像された画像は撮影開始信号の入力に呼応して取得した本撮像の画像データをメモリ１０８から圧縮／解凍回路１１２に導かれ、ここで所定の形式（例えば、ＪＰＥＧ）に従って圧縮処理された後、第１の記録媒体としてのメモリカード１（１１４）もしくは第２の記録媒体としてのメモリカード２（１１６）に記録される。ステップ１１において撮影を終了する。
【００５１】
次に、請求項２の特定撮影モード（ここでは、ノイズリダクションモード）が設定されている場合について図４を参照して説明する。
【００５２】
ステップ２１はカメラ１のメインスイッチ１４３がオンされ、カメラ１の電源が入った状態であり、ステップ２２から動作を開始する。まず、ステップ２２においては、カメラ１のノイズリダクションモード釦２５（高感度側のＩＳＯが設定された場合、撮影した画像にノイズが入りやすく、撮影した画像が粗くなってしまうの防止するための釦）が押されノイズリダクションモードＳＷ１５４がＯＮであると検出された場合はステップ２３へ進み、ノイズリダクションモードＳＷ１５４がＯＦＦであると検出された場合はステップ３４へ進む。
【００５３】
ステップ２３においてノイズリダクションモードＳＷ１５４がＯＮ状態で、カメラ１が三脚２３に取り付けられた状態か否かを検出する。カメラ１の三脚座１８に三脚２３のネジ部２４が取り付けられると、三脚検知ＳＷ１５３である端子ピン２２に当接し、絶縁体１９を挟んで対峙する２つの端子２０，２１のうち一方の端子２１を押し上げることで他方の端子２０と短絡し、三脚の取付けが検出されるようになっている。三脚が固定状態（三脚検知ＳＷ１５３がＯＮ）であると検出したら、ステップ２４へ進み、三脚に固定されていない状態（三脚検知ＳＷ１５３がＯＦＦ）であると検出したら、ステップ２６に進む。
【００５４】
ステップ２４において、三脚に固定状態（三脚検知ＳＷ１５３がＯＮ）であると検出したら、カメラ１のＣＰＵ（中央演算処理回路）１１７に三脚に固定状態であることを送信し、次に、ノイズリダクションモードＳＷ１５４がＯＮ状態でも、強制的にＯＦＦに切り換える。ステップ２５において、ノイズリダクションモードＳＷ１５４がＯＦＦに切り換えられたら、カメラ１のＣＰＵ（中央演算処理回路）１１７にノイズリダクションモードＳＷ１５４がＯＦＦ状態であることを送信し、ＣＰＵ（中央演算処理回路）１１７内部では、この情報を基にＩＳＯ感度変更手段によりＩＳＯ感度を自動で所定段数分、低感度側にシフトするようにする。
【００５５】
ここで、上述した説明と同様に、図５（ａ）に示すように、カメラ１が三脚に取り付けられたことを検出すると、ＩＳＯ感度変更手段により、ＩＳＯ感度を所定段数分（例えば１段  ８００⇒４００）低感度側に自動でシフトされる。これにより、シャッター速度も同様に所定段数分（１段  例えば１２５⇒６０）の低速側に自動でシフトされる。また、図５（ｂ）はカメラ１が三脚に取り付けられたことを検出すると、ＩＳＯ感度変更手段により、ＩＳＯ感度を所定段数分（例えば２段  ８００⇒２００）低感度側に自動でシフトされる。これにより、シャッター速度も同様に所定段数分（２段  例えば１２５⇒３０）の低速側に自動でシフトされる構成となる。
【００５６】
図４のステップ２６において、不図示のレリーズボタンの第１ストロークが押し下げられレリーズスイッチＳＷ１（１２６）がオンすると、ステップ２７において、測光装置１２４を作動させて被写体での反射光を取り込み、Ａ／Ｄ変換して測光情報を得る。ここでは、ＩＳＯ感度を所定段数分シフトされた後での露出条件（絞り，シャッタースピード）が演算される。
【００５７】
ステップ２８において、焦点検出モードがオートフォーカスモード（ＡＦ）かマニュアルフォーカスモード（ＭＦ）かを判別し、焦点検出装置１２５を用いて各焦点検出領域毎のフォーカス情報を算出する。そして、これらの焦点検出結果を基に既存のアルゴリズムでデフォーカス量算出演算を行ない、所定領域の焦点検出結果に基づきレンズ駆動量を演算した後に、合焦するようにレンズ駆動装置１２２へレンズ駆動量を通信し、レンズを駆動し合焦させる。
【００５８】
ステップ２９において、レリーズスイッチＳＷ２（１２７）がオンすると、撮影動作を行なうためにステップ３０に進む。ステップ３０では、ステップ２７にて算出された露出条件（絞り，シャッタースピード）とステップ２８にて駆動されたレンズの合焦状態にて、固体撮像素子１００に露光を行なう。そして、ステップ３１に進み、固体撮像素子１００に撮像された画像が画像表示モニタ１１０に静止画として自動再生表示される。ステップ３２では、撮像された画像は撮影開始信号の入力に呼応して取得した本撮像の画像データをメモリ１０８から圧縮／解凍回路１１２に導かれ、ここで所定の形式（例えば、ＪＰＥＧ）に従って圧縮処理された後、第１の記録媒体としてのメモリカード（１）（１１４）もしくは第２の記録媒体としてのメモリカード（２）（１１６）に記録される。ステップ３３において撮影を終了する。
【００５９】
次に、ステップ２２において、ノイズリダクションモードＳＷ１５４がＯＦＦであると検出された場合について説明する。ステップ３４において、ノイズリダクションモードＳＷ１５４がＯＦＦ状態でであると検出されたら、カメラ１が三脚２３に取り付けられた状態か否かを検出する。カメラ１の三脚座１８に三脚２３のネジ部２４が取り付けられると、三脚検知ＳＷ１５３である端子ピン２２に当接し、絶縁体１９を挟んで対峙する２つの端子２０，２１のうち一方の端子２１を押し上げることで他方の端子２０と短絡し、三脚の取付けが検出されるようになっている。三脚に固定状態（三脚検知ＳＷ１５３がＯＮ）であると検出したら、ステップ２５へ進み、三脚に固定されていない状態（三脚検知ＳＷ１５３がＯＦＦ）であると検出したら、ステップ２６に進む。
【００６０】
ステップ３４において、三脚に固定状態（三脚検知ＳＷ１５３がＯＮ）であると検出したら、ステップ２５において、カメラ１のＣＰＵ（中央演算処理回路）１１７に三脚が固定状態であることを送信し、ＣＰＵ（中央演算処理回路）１１７内部では、この情報を基にＩＳＯ感度変更手段によりＩＳＯ感度を自動で所定段数分、低感度側にシフトするようにする。
【００６１】
ＩＳＯ感度変更手段については上述同様のため説明は省略する。ステップ２６において、不図示のレリーズボタンの第１ストロークが押し下げられレリーズスイッチＳＷ１（１２６）がオンすると、ステップ２７において、測光装置１２４を作動させて被写体での反射光を取り込み、Ａ／Ｄ変換して測光情報を得る。ここでは、ＩＳＯ感度を所定段数分シフトされた後での露出条件（絞り，シャッタースピード）が演算される。
【００６２】
ステップ２８において、焦点検出モードがオートフォーカスモード（ＡＦ）かマニュアルフォーカスモード（ＭＦ）かを判別し、焦点検出装置１２５を用いて各焦点検出領域毎のフォーカス情報を算出する。そして、これらの焦点検出結果を基に既存のアルゴリズムでデフォーカス量算出演算を行ない、所定領域の焦点検出結果に基づきレンズ駆動量を演算した後に、合焦するようにレンズ駆動装置１２２へレンズ駆動量を通信し、レンズを駆動し合焦させる。
【００６３】
ステップ２９において、レリーズスイッチＳＷ２（１２７）がオンすると、撮影動作を行なうためにステップ３０に進む。ステップ３０では、ステップ２７にて算出された露出条件（絞り，シャッタースピード）とステップ２８にて駆動されたレンズの合焦状態にて、固体撮像素子１００に露光を行なう。そして、ステップ３１に進み、固体撮像素子１００に撮像された画像が画像表示モニタ１１０に静止画として自動再生表示される。ステップ３２では、撮像された画像は撮影開始信号の入力に呼応して取得した本撮像の画像データをメモリ１０８から圧縮／解凍回路１１２に導かれ、ここで所定の形式（例えば、ＪＰＥＧ）に従って圧縮処理された後、第１の記録媒体としてのメモリカード（１）（１１４）もしくは第２の記録媒体としてのメモリカード（２）（１１６）に記録される。ステップ３３において撮影を終了する。
【００６４】
ここでは、特定撮影モード（ノイズリダクションモード）が設定されている場合について説明したが、例えば、簡単撮影モード⇒ポートレート、スポーツ、風景などが設定されている場合に、カメラ１が三脚に固定された状態か否かを検出して、この情報を基にＩＳＯ感度変更手段によりＩＳＯ感度を自動で所定段数分、低感度側にシフトするよう構成したり、また、応用撮影モード⇒Ｐ（プログラム）、Ｔｖ（シャッター優先）、Ａｖ（絞り優先）などが設定された場合に、カメラ１が三脚に固定された状態か否かを検出して、この情報を基にＩＳＯ感度変更手段によりＩＳＯ感度を自動で所定段数分、低感度側にシフトするよう構成したりしても構わない。
【図面の簡単な説明】
【００６５】
【図１】本実施例の形態に係るカメラの構成を示す断面図である。
【図２】本実施例の形態に係るカメラの内部構成を示すブロック図である。
【図３】本実施例の形態に係るカメラの動作を示すフローチャートである。
【図４】本実施例の形態に係る特定撮影モードのカメラの動作を示すフローチャートである。
【図５】本実施例の形態に係るカメラのＩＳＯ感度とシャッター秒時の関係を示す図である。
【符号の説明】
【００６６】
１  カメラ
２  交換レンズ
４  絞り
５  カメラマウント部
６  メインミラー
７  サブミラー
８  焦点検出装置
９  ピント板
１０  ペンタプリズム
１１  接眼レンズ
１２  測光レンズ
１３  測光センサー
１４  シャッター
１５  光学フィルター
１６  撮像素子
１７  画像表示モニタ
１８  三脚座
１９  絶縁体
２０  端子Ａ
２１  端子Ｂ
２２  端子ピン
２３  三脚ネジ
２４  ネジ部
１１７  ＣＰＵ（中央演算処理回路）
１５３  三脚検知ＳＷ
１５４  ノイズリダクションモードＳＷ
【図１】
2007101860.tif 000003
【図２】
2007101860.tif 000004
【図３】
2007101860.tif 000005
【図４】
2007101860.tif 000006
【図５】
2007101860.tif 000007